(57)【要約】      （修正有）【課題】  石膏ボード等の面取りをするにつき、安定した面取りが可能であるとともに、面取りの大きさを簡単に変更できる面取り具を提供する。【解決手段】  裏面に一定深さのＶ溝４が長手方向に形成されるとともに、表面の適所にＶ溝にかかるまで落ち込む崖面が短手方向に形成され、崖面の底から端まで円板刃３の刃角以上の縦傾斜角で上昇する傾斜面６が形成された本体１と、傾斜面に載せられて支軸１１を中心に回転可能であり、かつ、Ｖ溝に突入してその外周がＶ溝の中心線を超えて少なくともＶ溝一杯に張出する円板刃と、支軸を保持して円板刃の上に当てがわれて傾斜面に対して長手方向に移動可能に固定される円板刃保持具２とからなることを特徴とする石膏ボード等の面取り具。【選択図】  図１
2007253442.tif 000002
【特許請求の範囲】
【請求項１】
裏面に一定深さのＶ溝が長手方向に形成されるとともに、表面の適所にＶ溝にかかるまで落ち込む崖面が短手方向に形成され、崖面の底から端まで円板刃の刃角以上の縦傾斜角で上昇する傾斜面が形成された本体と、傾斜面に載せられて支軸を中心に回転可能であり、かつ、Ｖ溝に突入してその外周がＶ溝の中心線を超えて少なくともＶ溝一杯に張出する円板刃と、支軸を保持して円板刃の上に当てがわれて傾斜面に対して長手方向に移動可能に固定される円板刃保持具とからなることを特徴とする石膏ボード等の面取り具。
【請求項２】
円板刃の支軸を、Ｖ溝の幅方向において、円板刃の刃先が被面取り材を切断し始める切始点と切断し終わる切終点とがＶ溝に対して同じレベルになる横傾斜角で傾けるとともに、傾斜面をＶ溝の幅方向に横傾斜角で傾けた請求項１の石膏ボード等の面取り具。
【請求項３】
傾斜面及び円板刃保持具に円板刃の外周を臨ませて表裏面を貫通する切粉排出窓が形成される請求項１又は２の石膏ボード等の面取り具。
【請求項４】
支軸の下端に円板刃の下面に突出する径大部が形成されるとともに、傾斜面にＶ溝と平行なガイド溝が形成され、径大部がガイド溝に嵌入している請求項１〜３いずれかの石膏ボード等の面取り具。
【請求項５】
円板刃保持具に長孔が形成されるとともに、傾斜面に止めネジが突出しており、長孔が止めネジに挿入されて上からノブで締め付けられて固定される請求項１〜４いずれかの石膏ボード等の面取り具。
【請求項６】
本体の側面に底面にヤスリを装着したヤスリ板が分離可能に接続される請求項１〜５いずれかの石膏ボード等の面取り具。
【発明の詳細な説明】
【技術分野】
【０００１】
本発明は、建物の壁や天井等に貼るクロス及び表面材の下地である石膏ボード、ＡＬＣパネル、サイディング及び軽カル板（以下、石膏ボード等）の面取り具に関するものである。
【背景技術】
【０００２】
回転自在な円板刃によって石膏ボード等の面取りが可能な面取り具として下記特許文献１に示されるものがある。円板刃を用いると、面取り面が均一できれいに仕上がる、切断に要する力が軽減される、外周面（刃面）全体が使用できることから、刃が長持ちするいった利点がある。しかし、前記した先行例のものは、円板刃の取付軸を被面取り材を挿入するＶ溝の延長方向（縦断面）と直角にし、Ｖ溝の幅方向（横断面）ではＶ溝の中心線に対して傾けている。
【０００３】
このため、横断面で見ると、円板刃の刃先が被面取り材を切断し始める切始点より切断し終わる切終点が斜めに下がっており、切始点から切終点の間の刃の挿入によって刃の厚みだけ円板刃が持ち上げられることになる。したがって、この持上力はそのまま円板刃（面取り具）を浮かせる浮力となり、この浮力によって面取り量は徐々に少なくなり、ついには面取り具が被面取り材から浮き上がってしまい、面取りができなくなる。この浮力は構造的なものであり、いくら面取り具を強く押さえていても、浮き上がりを防止することはできない。
【０００４】
そこで、本発明者は、円板刃の取付軸を横断面においてＶ溝の中心線と平行にし、かつ、縦断面では円板刃の進行方向に少なくとも刃角（掬い角）だけ前傾させたものを下記特許文献２として提案している。これによると、切始点から切終点までの刃の厚みは切始点の後方に隠れることになり、浮力を発生させない。したがって、安定して一様な面取りが可能になったのである。
【０００５】
しかし、前記した特許文献２のものでも、面取りの大きさは変えられないといった点がある。すなわち、面取りの大きさを変えるには、円板刃の取付け位置をＶ溝の深さ方向に変えるかその大きさ（径）を変えるかする必要がある。しかし、前者の場合には一つの面取り具では無理であるし、後者の場合には市販の円板刃が使用できないことがある。したがって、面取りの大きさによって種々の面取り具を用意しておく必要があり、非常に不経済であった。
【特許文献１】特願平１０−１８０７１５号公報
【特許文献２】特願平１１−１６９９９２号公報
【発明の開示】
【発明が解決しようとする課題】
【０００６】
本発明は、このような不具合を解消したものであり、一つの面取り具において、円板刃の取付位置を変更できるようにして、種々の大きさの面取りができるようにしたものである。
【課題を解決するための手段】
【０００７】
以上の課題の下、本発明は、請求項１に記載した、裏面に一定深さのＶ溝が長手方向に形成されるとともに、表面の適所にＶ溝にかかるまで落ち込む崖面が短手方向に形成され、崖面の底から端まで円板刃の刃角以上の縦傾斜角で上昇する傾斜面が形成された本体と、傾斜面に載せられて支軸を中心に回転可能であり、かつ、Ｖ溝に突入してその外周がＶ溝の中心線を超えて少なくともＶ溝一杯に張出する円板刃と、支軸を保持して円板刃の上に当てがわれて傾斜面に対して長手方向に移動可能に固定される円板刃保持具とからなることを特徴とする石膏ボード等の面取り具を提供したものである。
【０００８】
また、本発明は、以上の面取り具において、請求項２に記載した、円板刃の支軸を、Ｖ溝の幅方向において、円板刃の刃先が被面取り材を切断し始める切始点と切断し終わる切終点とがＶ溝に対して同じレベルになる横傾斜角で傾けるとともに、傾斜面をＶ溝の幅方向に横傾斜角で傾けた手段、請求項３に記載した、傾斜面及び円板刃保持具に円板刃の外周を臨ませて表裏面を貫通する切粉排出窓が形成される手段、請求項４に記載した、支軸の下端に円板刃の下面に突出する径大部が形成されるとともに、傾斜面にＶ溝と平行なガイド溝が形成され、径大部がガイド溝に嵌入している手段、請求項５に記載された、円板刃保持具に長孔が形成されるとともに、傾斜面に止めネジが突出しており、長孔が止めネジに挿入されて上からノブで締め付けられて固定される手段、請求項６に記載した、本体の側面に底面にヤスリを装着したヤスリ板が分離可能に接続される手段を提供したものである。
【発明の効果】
【０００９】
請求項１の手段をとることにより、円板刃保持具を本体の傾斜面に沿って動かすことで、円板刃がＶ溝内へ突入する量が変更されるから、これによって面取りの大きさを変更できる。すなわち、円板刃をＶ溝内へ深く突入させるほど、大きな面取りが可能になる。そして、この操作は、円板刃保持具を傾斜面に移動（スライド) させて固定するだけでよく、非常に簡単である。もちろん、傾斜面は、円板刃の刃角以上の勾配になっているから、浮力は発生しない。
【００１０】
請求項２の手段によれば、刃面はＶ溝の幅方向で水平になり、４５°の面取りが可能になる。もちろん、この場合でも、円板刃は刃角以上の角度で前傾しており、浮力は生じない。また、請求項３の手段によれば、切粉の排出がよくなるし、請求項４の手段によれば、面取りの大きさにかかわらず、被面取り材と円板刃との関係が変わらず、切断性能を低下させない。さらに、請求項５の手段により、円板刃保持具のスライドが容易である上にＶ溝と平行なスライドを確保できる。この他、請求項６の手段により、面取り前における被面取り材の切断面の仕上げが可能になる。
【発明を実施するための最良の形態】
【００１１】
以下、本発明の実施の形態を図面を参照して説明する。図１は本発明の一例を示す面取り具の一部断面平面図、図２は図１のＡ−Ａ断面図であるが、この面取り具は、本体１と、本体１に取り付けられる円板刃保持具２と、円板刃保持具２に保持される円板刃３とからなる。このうち、本体１は、手で握れる程度の幅を有する長細い直方体で、木材や樹脂或いはアルミ等で構成される。
【００１２】
本体１の裏面には、長手方向に延びる約９０°に開いた一定深さのＶ溝４が形成される（４ａは頂部のヌスミ）。なお、Ｖ溝４の９０°の開きは、その中心線Ｃ（本例の場合、垂直としている）に対して４５°ずつの振り分けに設定されている。本体１の表面の適所（本例では略中央付近）には、Ｖ溝４にかかるまで落ち込む崖面５が短手方向に形成されるとともに、崖面５の底から端までの長手方向には、円板刃３の刃角α以上の縦傾斜角βで一様に上昇する傾斜面６に形成されている。
【００１３】
円板刃保持具２は、傾斜面６に当てがわれる金属製等の細長い板状のもので、長手方向に長孔７が形成され、この長孔７が傾斜面６に下から突出して設けられたボルト８に挿通され、上からノブ９で締め付けられて固定されるものである。長孔７の延長上、中央側には、支軸保持孔１０が上下面に対して直角に形成されており、この支軸保持孔１０に円板刃３を回転自在に保持する支軸１１が挿通されている。この場合、円板刃３は、円板刃保持具２の下面に設けられ、その下面は傾斜面６に接触している。この円板刃３は、どのようなものであってもよいが、布や紙の切断に使用される両刃又は片刃の市販品でよい。
【００１４】
これにより、円板刃３は、円板刃保持具２と傾斜面６とで上下を押さえられて外れることはないから、支軸１１と支軸保持孔１０との固定構造は特に必要ではない。なお、円板刃３が存在する円板刃保持具２の裏面を円板刃３の厚みよりやや多めにヌスミをとった低段部１２に形成し、この低段部１２に円板刃３を回転可能に収容している。また、円板刃３を挿通する支軸１１の下方突出部分は径大部１１ａに形成されており、傾斜面６にこの径大部１１ａを嵌入するガイド溝１３をＶ溝４と平行に設けている。したがって、円板刃保持具２を傾斜面に沿って移動させるとき、円板刃３はＶ溝４と平行に動く。
【００１５】
以上における円板刃保持具２、円板刃３及びＶ溝４の関係は、支軸保持孔１０（支軸１１）がＶ溝４から一定に偏位した個所に設定され、この支軸１１で円板刃３を保持した場合、円板刃３がＶ溝４内に突入し、かつ、円板刃３の外周は、Ｖ溝４の中心線Ｃを超えて少なくともＶ溝４一杯に張出している。このとき、支軸１１は、傾斜面６に直角であるから、Ｖ溝４の縦断面では上記した縦傾斜角βだけ傾いている（β＝７〜１５°程度）。この他、傾斜面６における円板刃３の外周が位置する個所には、円板刃３の外周を臨ませて切粉排出窓１４が表裏を貫通して所定幅で、かつ、一定長さ形成されている。
【００１６】
次に、以上の面取り具を用いて石膏ボード等の被面取り材１５の面取りをする場合について説明する。図３は面取り状態を示す縦断面図、図４は横断面図、図５は図２のＢ−Ｂ断面図であるが、石膏ボード等の被面取り材１５を適当な台等の上に載せておき、本体１を手で持って被面取り材１５の角（稜線）をＶ溝４内に取り込む。このとき、Ｖ溝４は、約９０°に設定されているから、角を挟む側面１５ａ、１５ｂをＶ溝４の傾斜面４ｂ、４ｃに当てがって角をＶ溝４一杯に取り込む。
【００１７】
そして、本体１を図３の矢印方向に進行させると、円板刃３は回転しながら、Ｖ溝４内への突出量、すなわち、被面取り材１５への侵入量（面取り量）ｔで面取りして行く。この面取りの状況を更に詳しく説明すると、図６は図１のＣ−Ｃ断面図、図７は同じくＤ−Ｄ断面図であるが、今、円板刃３は、その刃角α又は刃角α以上の角度の縦傾斜角βで前傾しているのであるから、円板刃３が浮力を受けることはなく、一定の面取り量ｔを保ったままで面取りして行く。なお、円板刃３が刃角αを超えて水平以上に前傾している場合は、円板刃３に沈力が働くが、Ｖ溝４は被面取り材１５に当たっていてそれ以上下がることはないので、これまた、一定の面取り量ｔで面取して行く。
【００１８】
以上は、円板刃３の支軸１１がＶ溝４の中心線Ｃと平行な場合であるが、これをＶ溝４の横断面で見ると（図７）、円板刃３を縦傾斜角βで前傾させているため、切始点ａより切終点ｂの方が上がっている。したがって、厳密にいえば、面取りは被面取り材１５の角を二等辺三角形、すなわち、４５°で面取りされてはいない。そこで、支軸１１を縦傾斜角βで前傾させていることに加え、横傾斜角γでもＶ溝４側に傾けていることから、面取りは４５°に近いものになる。
【００１９】
図８はこれを示す本体１の横断面図であるが、このように、傾斜面５をこの横傾斜角γだけ短手方向に傾ければ、支軸１１は傾斜面５と直角にすればよい。なお、こうしたとしても、円板刃３は縦傾斜角βで前傾しているのであるから、円板刃３に浮力が働くことはない。ところで、これら縦傾斜角β、横傾斜角γともに、円板刃３の刃角αとほぼ一致する。
【００２０】
次に、本発明では、面取り量ｔを変更できるのであるが、それには、円板刃保持具２を傾斜面６上にスライドさせて円板刃３のＶ溝４内への突出量を変えればよい。ただし、最大の面取りをしたときでも、これが可能なように、円板刃３における外周のＶ溝４の中心Ｃからの超過量が確保されている必要がある。この面取り時、被面取り材１５からは切粉が排出されるが、これは上記した切粉排出窓１４から排出される。また、切粉の中には円板刃３に付着して回転するものもあるが、このとき、円板刃保持具２の適当な位置に切粉排出窓１６ａ、１６ｂを形成しておけば、ここからも排出されて行く。
【００２１】
図９は、本発明の他の例を示す面取り具の背面図であるが、本例のものは、ヤスリ板１７が付設できるようにしたものである。すなわち、ヤスリ１８を底面に一定間隔をあけて取り付けた取付板１９を用意しておき、これをボルト等１９で本体１の側面に締着するのである（本体１の取付け側側面には、予め取付け用ネジ孔２０を穿設しておく）。なお、ヤスリ板１７が本体１に対してずれては具合が悪いので、本体１の側面下方に低段部１ａを形成しておき、この低段部１ａにヤスリ１８の側方突出部を沿わせるようにしている。石膏ボート等は、必要なサイズに切断して使用するが、この切断面が荒れているようなときには、これを面取り前に仕上げるのであるが、これをこの面取り具でできるようにしたものである。
【図面の簡単な説明】
【００２２】
【図１】本発明の面取り具の平面図である。
【図２】図１のＡ−Ａ断面図である。
【図３】本発明の面取り具による面取り状態を示す縦断面図である。
【図４】本発明の面取り具による面取り状態を示す横断面図である。
【図５】図２のＢ−Ｂ断面図である。
【図６】図１のＣ−Ｃ断面図である。
【図７】図１のＤ−Ｄ断面図
【図８】本発明の面取り具の横断面図である。
【図９】本発明の他の例の面取り具の背面図である。
【符号の説明】
【００２３】
１      本体
１ａ    低段部
２      円板刃保持具
３      円板刃
４      Ｖ溝
４ａ    ヌスミ
４ｂ    傾斜面
４ｃ    傾斜面
５      崖面
６      傾斜面
７      長孔
８      ボルト
９      ノブ
１０    支軸保持孔
１１    支軸
１１ａ  径大部
１２    円板刃保持具の低段部
１３    ガイド溝
１４    切粉排出窓
１５    被面取り材
１５ａ  側面
１５ｂ  側面
１６ａ  切粉排出窓
１６ｂ  切粉排出窓
１７    ヤスリ板
１８    ヤスリ  
１９    ボルト等
２０    ネジ孔
【図１】
2007253442.tif 000003
【図２】
2007253442.tif 000004
【図３】
2007253442.tif 000005
【図４】
2007253442.tif 000006
【図５】
2007253442.tif 000007
【図６】
2007253442.tif 000008
【図７】
2007253442.tif 000009
【図８】
2007253442.tif 000010
【図９】
2007253442.tif 000011
【手続補正書】
【提出日】平成18年3月28日(2006.3.28)
【手続補正１】
【補正対象書類名】図面
【補正対象項目名】図４
【補正方法】変更
【補正の内容】
【図４】
2007253442.tif 000012